【事件の表示】
　特許第３０３０９７０号「液晶表示装置」の請求項１に係る特許に対する特許異議の申立てについて、次のとおり決定する。
【結　論】
　訂正を認める。
　特許第３０３０９７０号の請求項１に係る特許を取り消す。
【理　由】
１．手続の経緯
　特許第３０３０９７０号の請求項１に係る発明は、平成３年９月２４日に出願されたものであって、平成１２年２月１０日にその特許の設定の登録がなされ、その後、佐藤勝明により特許異議の申立がなされ、取消理由通知がなされ、その指定期間内の平成１３年１月３０日付けで訂正請求がなされたものである。
２．訂正の適否について
（１）訂正の内容
　ａ．特許明細書の請求項１
「【請求項１】　１本以上のドレインバスラインと1本以上のゲートバスラインと画素電極とカラーフィルタとを有するアクティブマトリックス型の液晶表示装置において、前記ドレインバスラインおよび前記ゲートバスラインと画素電極間に生じる電界による光の透過率変化領域を遮光できるように一部縮小したカラーフィルタを用いることを特徴とする液晶表示装置。」を、
「【請求項１】　１本以上のドレインバスラインと1本以上のゲートバスラインと画素電極とカラーフィルタとを有するアクティブマトリックス型の液晶表示装置において、前記ドレインバスラインおよび前記ゲートバスラインと画素電極間に生じる電界による光の透過率異常領域を遮光するように開口部を設けたカラーフィルタを用いることを特徴とする液晶表示装置。」と訂正する。
　ｂ．特許明細書の【０００５】の
「【課題を解決するための手段】
　本発明は、１本以上のドレインバスラインと１本以上のゲートバスラインと画素電極とカラーフィルタとを有するアクティブマトリックス型の液晶表示装置において、ドレインバスラインおよびゲートバスラインと画素電極間に発生する電界による光の透過率変化領域を遮光できるように一部縮小したカラーフィルタを用いている。」を、
「【課題を解決するための手段】
　本発明は、１本以上のドレインバスラインと１本以上のゲートバスラインと画素電極とカラーフィルタとを有するアクティブマトリックス型の液晶表示装置において、ドレインバスラインおよびゲートバスラインと画素電極間に生じる電界による光の透過率異常領域を遮光するように開口部を設けたカラーフィルタを用いている。」と訂正する。
　
（２）訂正の目的の適否、新規事項の有無及び拡張・変更の存否
　上記訂正事項ａは、特許明細書の請求項１の記載では、光の透過率変化領域がどこか、また、一部縮小したカラーフィルタで遮光できるかのようで、その意味内容が明りょうでなかったのを、明細書の【０００６】〜【０００７】に記載された事項に基づいて訂正するもので、明りょうでない記載の釈明に該当するものであり、実質的に特許請求の範囲を拡張し、又は変更するものではない。
　また、訂正事項ｂは、訂正事項ａの特許請求の範囲の訂正に伴い、それとの整合を図るため、発明の詳細な説明の記載を訂正するものであり、明りょうでない記載の釈明に該当し、新規事項を含むものではなく、実質的に特許請求の範囲を拡張し、又は変更するものではない。
（３）むすび
　したがって、上記訂正は、特許法第１２０条の４第２項及び第３項で準用する特許法第１２６条第２項及び第３項の規定に適合するので、当該訂正を認める。
　
３．特許異議申立についての判断
（１）本件発明
　本件の請求項１に係る発明は、訂正明細書の特許請求の範囲の請求項１に記載された事項により特定される次のとおりのものである。
「１本以上のドレインバスラインと1本以上のゲートバスラインと画素電極とカラーフィルタとを有するアクティブマトリックス型の液晶表示装置において、前記ドレインバスラインおよび前記ゲートバスラインと画素電極間に生じる電界による光の透過率異常領域を遮光するように開口部を設けたカラーフィルタを用いることを特徴とする液晶表示装置。」
　
（２）甲各号証記載の発明
　特許異議申立人の提出した本件出願前に頒布された刊行物である
甲第１号証（特開平１−２６６５１２号公報）には、
「アクティブマトリクス型の液晶表示素子では、能動素子基板上において・・・マトリクス状の配線と画素電極との間には、強い電場が生じ、液晶分子の配列を乱す。この液晶分子の配列不整に関係する現象は、「画素端部におけるチルトリバース」と呼ばれている。この発明は、「画素端部におけるチルトリバース」が限定された領域のみに現れることを利用し、他の表示性能に影響を与えない範囲で遮光部の配置を工夫することにより、・・・光学特性への影響を低減している。」（２頁右下欄７行〜３頁左上欄３行）、
「画素電極（１２）の周りにはゲート線及び信号線からなるマトリクス状の配線（１３）が形成されることにより、能動素子基板（１４）が構成されている。」（３頁左上欄１３行〜１６行）、
「対向基板（１７）の共通電極（１６）が形成された一主面上には、・・・格子状のブラックマトリクスである遮光部（１９）と・・・配向膜（２０）が順次形成されている。」（３頁右上欄３〜８行）、
「遮光部（１９）は能動素子（１１）及びマトリクス状の配線（１３）と重なるばかりでなく、・・・画素電極（１２）のラビングの開始側に位置する角部（２７）も被覆するような形状になっている。」（３頁左下欄１９行〜右下欄４行）、
「この結果、信号電圧を白から黒までに相当する１Ｖから５Ｖまで変えても、「画素端部におけるチルトリバース」は表示領域には全く観察されず、コントラスト比は８０：１から１００：１の範囲にあり、また、視野角も±４５°と、極めて優れた表示性能を得た。」（４頁右上欄１７行〜左下欄２行）と記載されている。
　上記によれば、甲第１号証には、
「能動素子基板上にゲート線及び信号線からなるマトリクス状の配線と画素電極とを有するアクティブマトリクス型の液晶表示素子において、格子状のブラックマトリクスである遮光部、及び、前記ゲート線及び信号線からなる配線と画素電極との間に生じる強い電場により液晶分子の配列を乱す領域を被覆する遮光部、とを対向基板に設けた液晶表示素子。」の発明（以下、「引用発明」という。）が記載されている。
　
　同じく、甲第２号証（特開昭５７−１９０９２３号公報）には、カラー液晶表示体のアクティブマトリクス基板に対向するカラーフィルタ基板に関し、
「液晶のシャッタ部分に対応して赤部２２，青部２３，緑部２４の各色フィルタが形成されると同時に、透過光に対するフィルタの境界での色のにじみを防止する意味で、各色フィルタの境界は黒色の色系により染色し、黒色枠２１を形成する。この黒色枠２１は、液晶がポジタイプの時は、シャッタのすき間を光が透過しないようにする意味で不可欠である。」（２頁右下欄６〜１２行）と記載されている。
　
（３）対比・判断                  
　本件の請求項１に係る発明（以下、「本件発明」という。）と引用発明とを比較すると、引用発明の「ゲート線」、「信号線」、「電場」及び「液晶表示素子」は、本件発明の「ゲートバスライン」、「ドレインバスライン」、「電界」及び「液晶表示装置」に相当する。また、引用発明における「液晶分子の配列を乱す領域」は、液晶分子の乱れた配列により光の透過率が、他の正常に配列された領域に比べ異常になることは、本件明細書の【０００２】の記載からも明らかである。さらに、引用発明における格子状のブラックマトリクスである遮光部及び液晶分子の配列を乱す領域を被覆する遮光部により囲まれる部分は、「開口部」と認められるから、両者は、
「１本以上のドレインバスラインと1本以上のゲートバスラインと画素電極とを有するアクティブマトリックス型の液晶表示装置において、前記ドレインバスラインおよび前記ゲートバスラインと画素電極間に生じる電界による光の透過率異常領域を遮光するように開口部を設けた液晶表示装置。」
で一致し、下記の点で相違する。
  相違点；本件発明は開口部を設けたカラーフィルタを用いるのに対し、引用発明はカラーフィルターを用いない点。
　上記相違点につき検討するに、アクティブマトリクス型の液晶表示装置において、黒色枠（格子状）のブラックマトリクスである遮光部により囲まれる部分を開口部とするカラーフィルタを用いることは、甲第２号証にも示されるように従来周知である。
　してみると、本件発明は、引用発明に従来周知のカラーフィルターを付加することにより当業者が容易に想到し得たものである。
　しかも、本件発明の「光透過率の異常な領域を遮光することにより、表示品質の低下を防止できる」（【０００８】）という明細書記載の効果は、甲第１号証に記載された前掲の「「画素端部におけるチルトリバース」は表示領域には全く観察されず、・・・極めて優れた表示性能を得た。」という効果と格別異なるものではない。
　したがって、本件発明は、甲第１号証及び甲第２号証に示されたような従来周知の事項に基づいて当業者が容易に想到し得たものである。
　なお、特許権者は、異議意見書において、甲第１号証には、画素端部におけるチルトリバースを遮光する遮光部を設けることが記載されているが、画素端部におけるチルトリバース領域と正常な領域との境界部で発生する輝線を遮光することは記載されていないので、本件発明とは相違する旨主張している。しかし、甲第１号証記載のものは、輝線が発生することを認識した上で（４頁左上欄参照）、極めて優れた表示性能を得ているのであり、輝線を遮光することは、明細書に直接的な記載がないとしても、当業者であれば、当然配慮すべき事項である。
　
５．むすび
　以上のとおり、本件の請求項１に係る発明についての特許は、拒絶の査定をしなければならない特許出願に対してなされたものと認める。
　よって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年３月１９日（２００１．３．１９）
【訂正の要旨】
訂正の要旨
　特許請求の範囲の請求項１
「【請求項１】　１本以上のドレインバスラインと１本以上のゲートバスラインと画素電極とカラーフィルタとを有するアクティブマトリックス型の液晶表示装置において、前記ドレインバスラインおよび前記ゲートバスラインと画素電極間に生じる電界による光の透過率変化領域を遮光できるように一部縮小したカラーフィルタを用いることを特徴とする液晶表示装置。」
を、特許請求の範囲の減縮、及び明りょうでない記載の釈明を目的として、
「【請求項１】　１本以上のドレインバスラインと１本以上のゲートバスラインと画素電極とカラーフィルタとを有するアクティブマトリックス型の液晶表示装置において、前記ドレインバスラインおよび前記ゲートバスラインと画素電極間に生じる電界による光の透過率
異常
す
開口部を設け
と訂正します。
　これに伴い、特許請求の範囲の記載と発明の詳細な説明の記載との整合をとるため、明細書段落番号［０００５］
「【０００５】
　【課題を解決するための手段】本発明は、１本以上のドレインバスラインと１本以上のゲートバスラインと画素電極とカラーフィルタとを有するアクティブマトリックス型の液晶表示装置において、ドレインバスラインおよびゲートバスラインと画素電極間に発生する電界による光の透過率変化領域を遮光できるように一部縮小したカラーフィルタを用いている。」
を、明りょうでない記載の釈明を目的として、
「【０００５】【課題を解決するための手段】本発明は、１本以上のドレインバスラインと１本以上のゲートバスラインと画素電極とカラーフィルタとを有するアクティブマトリックス型の液晶表示装置において、ドレインバスラインおよびゲートバスラインと画素電極間に生じる電界による光の透過率
異常
す
開口部を設け
と訂正します。
（５４）【発明の名称】
液晶表示装置
（５７）【特許請求の範囲】
　【請求項１】　１本以上のドレインバスラインと１本以上のゲートバスラインと画素電極とカラーフィルタとを有するアクティブマトリックス型の液晶表示装置において、前記ドレインバスラインおよび前記ゲートバスラインと画素電極間に生じる電界による光の透過率
異常
す
開口部を設け
【発明の詳細な説明】
　【０００１】
　【産業上の利用分野】本発明は、液晶表示装置に関し、特に液晶の異常配向による表示品質の悪化を防止する方法に関する。
　【０００２】
　【従来の技術】図３はアクティブマトリックス方式のＴＦＴ基板上の画素電極部パターンの一例を示したものである。液晶表示を行なうため、実際にはこのＴＦＴ基板に対向させた位置に図４に示すような開口部を持つカラーフィルタ７を設置し、ＴＦＴ基板とそのカラーフィルタ間に液晶を注入してある。アクティブマトリックス方式では、液晶に電圧を印加するために、ｎ番目のゲートバスライン３の電位をハイレベルにしてＴＦＴ６をオンさせる。ＴＦＴ６をオンする期間は、ＩＴＯからなる画素電極５の電位がＴＦＴ６を介してｍ番目のドレインバスライン１の電位によって所定の値になるまで持続させる。画素電極５の電位が所定の値になると、ｎ番目のゲートバスライン３の電位をロウレベルにしてＴＦＴ６をオフさせる。画素電極５の電位が所定の値になると、カラーフィルタ７の開口部を通して光が透過する。この状態ではｎ番目のゲートバスライン３はロウレベル，画素電極５はハイレベルの状態になっている。したがって、それらの間には強い電界が存在し、液晶の配向を乱す原因となる。液晶の配向が乱れると、その乱れた領域の光透過率は、周辺の正常に配向された領域と比べた場合異常な値となり、それは表示品質の低下の原因となる。
　【０００３】従来、この種の異常配向による表示品質低下を抑えるために、例えば高い閾値特性を持つ液晶材に変更して異常電界による配向を軽減する方法、また、高いチルト角を持たせることの出来る配向膜に変更して異常電界によるリバースチルトを軽減する方法、また、薄膜トランジスタ（ＴＦＴ）を含めた液晶駆動回路においてゲートパルスの立下り直後に所定時間逆相の電圧をゲートに印加することで画素へのパルス雑音を軽減する方法が提案されていた。
　【０００４】
　【発明が解決しようとする課題】上述した従来の異常配向による表示品質低下の防止方法は、ＬＣＤ装置の仕様を左右する基本的要素であり、このため改善後のＬＣＤ総合評価には十分な注意が必要であり製品への適用に多大の時間を要していた。
　【０００５】
　【課題を解決するための手段】本発明は、１本以上のドレインバスラインと１本以上のゲートバスラインと画素電極とカラーフィルタとを有するアクティブマトリックス型の液晶表示装置において、ドレインバスラインおよびゲートバスラインと画素電極間に生じる電界による光の透過率
異常
す
開口部を設け
　【０００６】
　【実施例】次に本発明について図面を参照して説明する。図１は本発明の第１の実施例のカラーフィルタのパターンを示す平面図である。本実施例では、カラーフィルタ７の開口部は図４に示す従来のものより縮少されている。縮少された部分は、前述したようにｎ番目のゲートバスライン３と画素電極との間の強い電界が加わり液晶の配向が乱れ光の透過率が異常となる部分である。このように光の透過率が異常となる領域が遮光されたので表示品質の低下を防止できる。
　【０００７】図２は本発明の第２の実施例のカラーフィルタのパターンを示す図である。この実施例ではｍ＋１番目のドレインバスライン２とｎ＋１番目のゲートバスライン４の交差点付近の光の透過率異常となる部分を遮光している。この実施例でも表示品質の低下を防止できる。
　【０００８】
　【発明の効果】以上説明したように本発明は光透過率の異常な領域を遮光することにより、表示品質の低下を防止できる効果がある。また、カラーフィルタの変更のみであるため製品への適用が容易であり評価日数の短縮できる効果がある。
【図面の簡単な説明】
　【図１】本発明の第１の実施例のカラーフィルタのパターンを示す平面図である。
　【図２】本発明の第２の実施例のカラーフィルタのパターンを示す平面図である。
　【図３】アクティブマトリックス方式のＴＦＴ基板上の画素電極部のパターンの一例を示す図である。
　【図４】従来のカラーフィルタのパターン例を示す図である。
　【符号の説明】
１　ｍ番目のドレインバスライン
２　ｍ＋１番目のドレインバスライン
３　ｎ番目のゲートバスライン
４　ｎ＋１番目のゲートバスライン
５　画素電極
６　ＴＦＴ
７　カラーフィルタ